(57)【要約】  器具等を使わなくともソフトコンタクトレンズの装着を容易に行うことができる装着方法、このような装着方法に用いることができるコンタクトレンズ用液、及びソフトコンタクトレンズパッケージを提供することを目的とする。本発明は、ソフトコンタクトレンズを生理食塩水中での平衡状態より収縮させることができるコンタクトレンズ用液を用い、このコンタクトレンズ用液とソフトコンタクトレンズとを接触させ、このソフトコンタクトレンズを収縮させる収縮工程、及び収縮した上記ソフトコンタクトレンズを眼に装着する装着工程を有し、上記装着工程後、上記ソフトコンタクトレンズのサイズが回復するソフトコンタクトレンズ装着方法である。【選択図】なし【特許請求の範囲】
【請求項１】
ソフトコンタクトレンズを生理食塩水中での平衡状態より収縮させることができるコンタクトレンズ用液を用い、このコンタクトレンズ用液とソフトコンタクトレンズとを接触させ、このソフトコンタクトレンズを収縮させる収縮工程、及び
収縮した上記ソフトコンタクトレンズを眼に装着する装着工程
を有し、
上記装着工程後、上記ソフトコンタクトレンズのサイズが回復するソフトコンタクトレンズ装着方法。
【請求項２】
上記収縮工程におけるソフトコンタクトレンズの直径の収縮量が０．２ｍｍ以上である請求項１に記載のソフトコンタクトレンズ装着方法。
【請求項３】
上記装着工程後におけるソフトコンタクトレンズの直径の回復率が８０％以上である請求項２に記載のソフトコンタクトレンズ装着方法。
【請求項４】
上記装着工程後におけるソフトコンタクトレンズの直径の回復量が０．２ｍｍ以上である請求項１、請求項２又は請求項３に記載のソフトコンタクトレンズ装着方法。
【請求項５】
上記コンタクトレンズ用液のオスモル濃度が３７０ｍＯｓｍ／Ｌ以上である請求項１から請求項４のいずれか１項に記載のソフトコンタクトレンズ装着方法。
【請求項６】
上記コンタクトレンズ用液がリン酸及びリン酸塩を含む請求項１から請求項５のいずれか１項に記載のコンタクトレンズ装着方法。
【請求項７】
上記収縮工程においてコンタクトレンズ用液の温度を３５℃以上５０℃以下とする請求項１から請求項６のいずれか１項に記載のソフトコンタクトレンズ装着方法。
【請求項８】
ソフトコンタクトレンズとの接触により、このソフトコンタクトレンズの直径を生理食塩水中での平衡状態と比較して０．２ｍｍ以上収縮させることができ、かつ
オスモル濃度が３７０ｍＯｓｍ／Ｌ以上であるコンタクトレンズ用液。
【請求項９】
上記収縮を可逆的に行うことができる請求項８に記載のコンタクトレンズ用液。
【請求項１０】
ソフトコンタクトレンズ収容容器、
このソフトコンタクトレンズ収容容器に貯留される請求項８又は請求項９に記載のコンタクトレンズ用液、及び
このコンタクトレンズ用液に浸漬されるソフトコンタクトレンズ
を含むソフトコンタクトレンズパッケージ。
【発明の詳細な説明】
【技術分野】
【０００１】
本発明は、ソフトコンタクトレンズ装着方法、コンタクトレンズ用液及びソフトコンタクトレンズパッケージに関する。
【背景技術】
【０００２】
一般的に直径が９ｍｍ程度であるハードコンタクトレンズと比較して、ソフトコンタクトレンズはサイズが大きく（直径１４ｍｍ程度）、乱視用、老視用、遠近両用等の特殊なソフトコンタクトレンズになるとこのサイズは更に大きくなる。このため、ソフトコンタクトレンズは、装着するのが困難であり、装着性の向上が使用者の改善要望の一つとなっている。特にこの改善は、瞼裂幅が小さい児童や、高齢者に対応すべく望まれている。【０００３】
一方、単にレンズサイズを小さくすると、レンズの装着は容易になる。しかし、サイズの小さいソフトコンタクトレンズを装着すると、眼表面でのレンズの動きが大きくなり、安定性も悪くなるため、見え方の不良や装用感の不良等を引き起こし、コンタクトレンズの機能が低下してしまう。【０００４】
このような中、コンタクトレンズの装着を容易に行う手段として、吸盤等の吸着部によりコンタクトレンズを保持し装着することができる器具（実用新案登録第３０２９１６４号公報、特願２００１−３３７２０１号公報及び特開２００２−１００６１４号公報参照）が開発されている。しかしながら、このように器具を用いてコンタクトレンズを装着するためには、この器具に慣れるまでに時間がかかり、また、日頃からこの器具を持ち運ぶ必要があるなどの不都合がある。
【先行技術文献】
【特許文献】
【０００５】
【特許文献１】実用新案登録第３０２９１６４号公報
【特許文献２】特願２００１−３３７２０１号公報
【特許文献３】特開２００２−１００６１４号公報
【発明の概要】
【発明が解決しようとする課題】
【０００６】
本発明は、上述のような事情に基づいてなされたものであり、器具等を使わなくともソフトコンタクトレンズの装着を容易に行うことができる装着方法、このような装着方法に好適に用いることができるコンタクトレンズ用液、及びソフトコンタクトレンズパッケージを提供することを目的とする。
【課題を解決するための手段】
【０００７】
上記課題を解決するためになされた本発明のソフトコンタクトレンズ装着方法は、
ソフトコンタクトレンズを生理食塩水中での平衡状態より収縮させることができるコンタクトレンズ用液を用い、このコンタクトレンズ用液とソフトコンタクトレンズとを接触させ、このソフトコンタクトレンズを収縮させる収縮工程、及び
収縮した上記ソフトコンタクトレンズを眼に装着する装着工程
を有し、
上記装着工程後、上記ソフトコンタクトレンズのサイズが回復するソフトコンタクトレンズ装着方法である。【０００８】
当該ソフトコンタクトレンズ装着方法によれば、収縮工程においてソフトコンタクトレンズを収縮させることにより、一般的にサイズの大きいソフトコンタクトレンズを小さくし、眼への装着を容易にすることができ、装着後にレンズサイズが回復（拡大）することで、通常のコンタクトレンズの機能を発揮させることができる。当該装着方法は、このようにコンタクトレンズ用液と接触させることによりソフトコンタクトレンズを収縮させているため、例えば保存液にこのコンタクトレンズ用液を用いることで、別途器具等を用いることなくソフトコンタクトレンズを容易に装着することができる。ここで、上記生理食塩水とは、２０℃の０．９質量％塩化ナトリウム水溶液をいう。【０００９】
上記ソフトコンタクトレンズが含水性ソフトコンタクトレンズであることが好ましい。当該装着方法によれば、含水性ソフトコンタクトレンズを用いることで、このコンタクトレンズの含水率の変化を利用することで、装着後は涙液の浸透などによってソフトコンタクトレンズが従来のサイズに容易に戻るため、レンズの機能を損なうことなく、コンタクトレンズを装用することができる。【００１０】
上記収縮工程におけるソフトコンタクトレンズの直径の収縮量が０．２ｍｍ以上であるとよい。当該装着方法によれば、ソフトコンタクトレンズの直径を０．２ｍｍ以上収縮させることで、物理的な装着の容易性を高めると共に、使用者がレンズサイズの変化を実感できるため、意識的にもコンタクトレンズ装着の抵抗感を低減させることができる。【００１１】
上記装着工程後におけるソフトコンタクトレンズの直径の回復率が８０％以上であるとよい。当該装着方法によれば、装着後にレンズの直径が８０％以上回復することで、収縮した状態でソフトコンタクトレンズを装着しても、装着後、通常のソフトコンタクトレンズと同様な機能を発揮させることができる。【００１２】
上記装着工程後におけるソフトコンタクトレンズの直径の回復量が０．２ｍｍ以上であるとよい。当該装着方法によれば、装着後にレンズの直径が０．２ｍｍ以上回復（拡大）することで、収縮した状態でソフトコンタクトレンズを装着しても、装着後、通常のソフトコンタクトレンズと同様な機能を発揮させることができる。【００１３】
上記コンタクトレンズ用液のオスモル濃度が３７０ｍＯｓｍ／Ｌ以上であるとよい。当該装着方法によれば、このような高い濃度のコンタクトレンズ用液を用いることで、このコンタクトレンズ用液の浸透圧を効果的に利用して、ソフトコンタクトレンズの収縮を行うことができる。【００１４】
上記コンタクトレンズ用液がリン酸及びリン酸塩を含むとよい。当該装着方法によれば、用いるコンタクトレンズ用液がリン酸及びリン酸塩を含むことで、オスモル濃度やｐＨ等を容易に好ましい範囲に調整でき、ソフトコンタクトレンズをより効率的に収縮させることができる。【００１５】
上記収縮工程においてコンタクトレンズ用液の温度を３５℃以上５０℃以下とするとよい。当該装着方法によれば、比較的高温なコンタクトレンズ用液とソフトコンタクトレンズとを接触させることで、ソフトコンタクトレンズを構成する分子の熱運動によりソフトコンタクトレンズの含水率を低下させ、容易にソフトコンタクトレンズの収縮を行うことができる。【００１６】
本発明のコンタクトレンズ用液は、
ソフトコンタクトレンズとの接触により、このソフトコンタクトレンズの直径を生理食塩水中での平衡状態と比較して０．２ｍｍ以上収縮させることができ、かつ
オスモル濃度が３７０ｍＯｓｍ／Ｌ以上であるコンタクトレンズ用液である。【００１７】
当該コンタクトレンズ用液によれば、浸透圧を利用してソフトコンタクトレンズを効率的に収縮させることができるため、使用者はソフトコンタクトレンズを容易に装着することができる。【００１８】
当該コンタクトレンズ用液が、上記収縮を可逆的に行うことができることが好ましい。当該コンタクトレンズ用液がこのようにソフトコンタクトレンズの収縮を可逆的に行うことができる、つまりソフトコンタクトレンズを収縮させた後、生理食塩水とこのソフトコンタクトレンズとを接触させると、レンズのサイズが回復するようなコンタクトレンズ用液であれば、コンタクトレンズを装着後、涙液によって容易にコンタクトレンズのサイズが回復し、通常のソフトコンタクトレンズと同様な機能を発揮させることができる。【００１９】
本発明のソフトコンタクトレンズパッケージは、
ソフトコンタクトレンズ収容容器、このソフトコンタクトレンズ収容容器に貯留される上記コンタクトレンズ用液、及びこのコンタクトレンズ用液に浸漬されるソフトコンタクトレンズを含む。【００２０】
当該ソフトコンタクトレンズパッケージによれば、ソフトコンタクトレンズを収縮した状態で容器に収容することができるため、流通段階で使用することで、容器のサイズを小型化でき、また、例えばレンズサイズによらず共通サイズの容器を使用することができるため、生産コストの削減に繋がる。
【発明の効果】
【００２１】
以上説明したように、本発明のソフトコンタクトレンズ装着方法によれば、器具等を使わなくともソフトコンタクトレンズの装着を容易に行うことができ、特に瞼裂幅の狭い児童や、高齢者に有用である。本発明のコンタクトレンズ用液を用いることで、サイズの大きい一般的なソフトコンタクトレンズの装着容易性が高まる。また、本発明のソフトコンタクトレンズパッケージによれば、ソフトコンタクトレンズの装着容易性を高めることができると共に、ソフトコンタクトレンズの生産、流通段階等の効率化に資することができる。【００２２】
さらに、本発明のコンタクトレンズ用液は、従来の保存液、ソフトコンタクトレンズの包装用液、装着液、マルチパーパスソリューション等として用いることができ、これらの各液の付加価値を高めることができる。【００２３】
また、本発明の装着方法によれば、従来のコンタクトレンズより大きなコンタクトレンズを眼に装着することができる。コンタクトレンズのサイズが大きくなれば、より安定した視力矯正が可能となり、また、充血で赤くなっている白目（球結膜）や、加齢にともなう黄疸化した白目を美しく見せるための白目を覆う程のサイズのコンタクトレンズを提供することもできる。さらに、このようなサイズの大きなコンタクトレンズは、紫外線カット機能等を有する機能性コンタクトレンズの効果を高め、また、ラグビーなど激しい接触があるスポーツでの使用においても外れにくくなるなど、ソフトコンタクトレンズの用途の幅が広がる。
【発明を実施するための形態】
【００２４】
以下、本発明のソフトコンタクトレンズ装着方法、コンタクトレンズ用液及びソフトコンタクトレンズパッケージの実施の形態について詳説する。
【００２５】
＜ソフトコンタクトレンズ装着方法＞
本発明のソフトコンタクトレンズの装着方法は、
ソフトコンタクトレンズを生理食塩水中での平衡状態より収縮させることができるコンタクトレンズ用液を用い、このコンタクトレンズ用液とソフトコンタクトレンズとを接触させ、このソフトコンタクトレンズを収縮させる収縮工程、及び
収縮した上記ソフトコンタクトレンズを眼に装着する装着工程
を有し、
上記装着工程後、上記ソフトコンタクトレンズのサイズが回復するソフトコンタクトレンズ装着方法である。
【００２６】
当該ソフトコンタクトレンズ装着方法によれば、収縮工程においてソフトコンタクトレンズを収縮させることにより、一般的にサイズの大きいソフトコンタクトレンズを小さくし、眼への装着を容易にすることができ、装着後にレンズサイズが回復（拡大）することで、通常のコンタクトレンズの機能を発揮させることができる。当該装着方法は、このようにコンタクトレンズ用液と接触させることによりソフトコンタクトレンズを収縮させているため、例えば保存液にこのコンタクトレンズ用液を用いることで、器具等を用いることなくソフトコンタクトレンズを容易に装着することができる。以下、各工程について説明する。
【００２７】
＜収縮工程＞
この収縮工程においては、ソフトコンタクトレンズとコンタクトレンズ用液とを接触させ、このソフトコンタクトレンズを収縮させる。
【００２８】
＜ソフトコンタクトレンズ＞
この収縮されるソフトコンタクトレンズとしては、特に限定されず、ＨＥＭＡ（ハイドロキシエチルメタクリレート）、Ｎ−ＶＰ（Ｎ−ビニルピロリドン）、ＤＭＡＡ（ジメチルアクリルアミド）、グリセロールメタクリレート（ＧＭＡ）等によって形成された含水性ソフトコンタクトレンズや、シリコンラバー、ブチルアクリレート、ジメチルシロキサン等によって形成された非含水性ソフトコンタクトレンズを用いることができるが、含水性ソフトコンタクトレンズを用いることが好ましい。
【００２９】
含水性ソフトコンタクトレンズによれば、この収縮工程において、コンタクトレンズ用液により、含水率を低下させることができる。当該装着方法によれば、このようにソフトコンタクトレンズの含水率変化を利用することで、装着後は涙液の浸透などによってソフトコンタクトレンズが従来のサイズに容易に戻るため、レンズの機能を損なうことなく、コンタクトレンズを装用することができる。
【００３０】
この含水性ソフトコンタクトレンズの含水率としては、上述の含水率変化によるレンズサイズの収縮を効果的に発揮させるために、３０質量％以上が好ましく、４０質量％以上８０質量％以下がさらに好ましい。
【００３１】
ここで、含水率（質量％）は、下記式（１）にて算出される値である。
含水率（質量％）
＝［（含水後のレンズの質量（ｇ）−含水前のレンズの質量（ｇ））／含水後のレンズの質量（ｇ）］×１００・・・（１）
【００３２】
また、このソフトコンタクトレンズは、非イオン性ソフトコンタクトレンズであってもよく、カルボキシル基等のイオン性基が導入されたイオン性ソフトコンタクトレンズであってもよい。
【００３３】
このソフトコンタクトレンズのサイズとしては、通常のソフトコンタクトレンズのサイズのものが用いられ、具体的には１３．０ｍｍ以上１４．５ｍｍ以下程度である。また、当該装着方法は、乱視用、老視用、遠近両用、その他の特殊な用途のソフトコンタクトレンズに特に用いられる１４．５ｍｍ以上のサイズのものに対しても十分に適用することができる。
【００３４】
＜コンタクトレンズ用液＞
上記収縮工程に用いられるコンタクトレンズ用液は、ソフトコンタクトレンズと接触した際に、生理食塩水中での平衡状態よりこのソフトコンタクトレンズを収縮させることができるものであれば特に限定されない。
【００３５】
このようなコンタクトレンズ用液としては、例えば、オスモル濃度が３７０ｍＯｓｍ／Ｌ以上である液や、ｐＨを調整した液等を挙げることができる。
【００３６】
オスモル濃度が３７０ｍＯｓｍ／Ｌ以上である液を用いる方法によれば、この液の浸透圧を効果的に利用して、収縮工程においてソフトコンタクトレンズの含水率を効率的に低下させ、コンタクトレンズの収縮を容易に行うことができる。なお、このような高濃度の液を用いて収縮されたソフトコンタクトレンズを眼に装着した後においては、ソフトコンタクトレンズと涙液との接触によって、ソフトコンタクトレンズに涙液が浸透し、ソフトコンタクトレンズは収縮前のサイズに容易に戻ることとなる。
【００３７】
この液のオスモル濃度としては、３７０ｍＯｓｍ／Ｌ以上であるが、４００ｍＯｓｍ／Ｌ以上であることが好ましく、４２０ｍＯｓｍ／Ｌ以上であることがさらに好ましい。一方、このオスモル濃度としては、５５０ｍＯｓｍ／Ｌ以下であることが好ましい。このオスモル濃度が上記下限未満の場合は、収縮工程として十分な時間をとっても一定以上の収縮が生じず、コンタクトレンズの装着性の向上が見込まれないおそれがある。逆に、この濃度が５５０ｍＯｓｍ／Ｌを超える場合は、装着の際の眼に対する刺激が強くなるおそれがある。また、高浸透圧のため、場合によっては眼に障害を起こすおそれもある。
【００３８】
また、上記収縮工程においてコンタクトレンズ用液の温度を３５℃以上５０℃以下とするとよい。この方法によれば、比較的高温なコンタクトレンズ用液とソフトコンタクトレンズとを接触させることで、ソフトコンタクトレンズを構成する分子の熱運動によりソフトコンタクトレンズの含水率を低下させ、容易にソフトコンタクトレンズの収縮を行うことができる。なお、このような温度としたコンタクトレンズ用液を用いて収縮したソフトコンタクトレンズを眼に装着した後においては、このコンタクトレンズは、外気温、体温及び気化熱によって温度が低下し、含水率が通常の状態に戻ることでサイズも通常のサイズに戻ることとなる。
【００３９】
この際の液の温度としては、３５℃以上５０℃以下であるが、３７℃以上４５℃以下が好ましい。この温度が上記下限未満の場合は、収縮工程として十分な時間をとっても一定以上の収縮が生じず、コンタクトレンズの装着性の向上が見込まれないおそれがある。逆に、この温度が上記上限を超えると、装着工程において指でこのコンタクトレンズを触る際、または、眼に装着する際にコンタクトレンズが高温になりすぎ取扱性が低下するおそれがある。
【００４０】
このコンタクトレンズ用液の温度を調整する手段としては、特に限定されず、例えばコンタクトレンズの消毒のための煮沸器を用いる方法や、その他の公知の加温器を用いる方法などを挙げることができる。
【００４１】
このコンタクトレンズ用液としては、塩化ナトリウム、キレート化剤、緩衝剤、界面活性剤、増粘剤、防腐剤、殺菌剤等の含有により濃度を調整した水溶液であってもよい。これらの各成分は、１種又は２種以上含有されていてもよく、また、生体に対して安全で、かつ、本発明の効果を阻害しない範囲において含有される。
【００４２】
上記キレート化剤は、コンタクトレンズ用液中や涙液中に含まれるカルシウム等の金属イオンがコンタクトレンズに沈着することを防止するため等に含有される成分である。このキレート剤としては、例えばエチレンジアミン四酢酸やそのナトリウム塩若しくはその鉄錯体、フィチン酸、クエン酸等を挙げることができる。
【００４３】
上記緩衝剤は、コンタクトレンズ用液のｐＨを一定にすると共に、外的要因によるｐＨの変化を抑え、且つ、ソフトコンタクトレンズの物性等を保護するため等に用いられる成分である。この緩衝剤としては、眼科生理学的に許容し得るものであれば特に限定はないが、例えばホウ酸及びホウ酸塩、リン酸及びリン酸塩、クエン酸及びクエン酸塩、乳酸及び乳酸塩、グリシン、グルタミン酸等のアミノ酸及びその塩、リンゴ酸及びリンゴ酸塩等を挙げることができる。これらの塩としては、ナトリウム塩等を挙げることができる。これらの緩衝剤の中でも、濃度やｐＨ調整の容易性などの点からリン酸及びリン酸塩の組み合わせを用いることが好ましい。
【００４４】
上記界面活性剤は、コンタクトレンズの洗浄等を目的として用いられる成分である。この界面活性剤としては、公知のアニオン系界面活性剤、ノニオン系界面活性剤、両性界面活性剤及びカチオン系界面活性剤をいずれも用いることができる。
【００４５】
界面活性剤の具体例としては、例えばポリグリセリン脂肪酸エステル、ポリオキシエチレンアルキルエーテル、ポリオキシエチレン・ポリオキシプロピレンブロックコポリマー、ポリオキシエチレン・ポリオキシプロピレンエチレンジアミン、ポリオキシエチレンソルビタン脂肪酸エステル、ポリオキシエチレンアルキルフェニルエーテルホルムアルデヒド縮合物、ポリオキシエチレン硬化ヒマシ油、ポリオキシエチレンアルキルフェニルエーテル、ポリオキシエチレングリセリン脂肪酸エステル、ポリオキシエチレンソルビット脂肪酸エステル、ポリオキシエチレンヒマシ油、ポリオキシエチレンステロール、ポリオキシエチレン水素添加ステロール、ポリオキシエチレン脂肪酸エステル、ポリオキシエチレン・ポリオキシプロピレンアルキルエーテル、ポリオキシエチレンラノリンアルコール、ポリオキシエチレンアルキルアミン、ポリオキシエチレンアルキルアミド、ポリオキシエチレンアルキルエーテルリン酸、ポリソルベート等を挙げることができる。
【００４６】
上記増粘剤は、コンタクトレンズ用液の粘度を調整するため等に含有される成分であり、具体的には、ポリビニルアルコール、ポリ−Ｎ−ビニルピロリドン、ポリアクリルアミド及びその加水分解物、ポリアクリル酸、キサンタンガム、ヒドロキシエチルセルロース、カルボキシメチルセルロース、メチルヒドロキシエチルセルロース、メチルヒドロキシプロピルセルロース、メチルセルロース、アルギン酸ナトリウム、ポリエチレングリコール、ゼラチン、コンドロイチン硫酸ナトリウム、ヒアルロン酸ナトリウム、アラビアガム、ガールガム等を挙げることができる。
【００４７】
上記防腐剤や殺菌剤としては、眼科的に許容し得るものであれば、特に限定はなく、例えば硝酸フェニル水銀、酢酸フェニル水銀、チメロサール、塩化ベンザルコニウム、臭化ピリジニウム、クロロヘキシジン、ポリヘキサメチレンビグアニド、クロロブタノール、メチルパラベン、プロピルパラベン、ジメチロールジメチルヒダントイン、イミダゾリウムウレア等を挙げることができる。
【００４８】
また、このコンタクトレンズ用液は、その他成分として、メントールやボルネオールに代表される清涼化剤、ケトチフェンやマレイン酸クロルフェニラミンに代表される抗アレルギー剤、チモロールやピロカルピンに代表される緑内障治療薬、ビタミンやその他治療のための薬剤を含むことができる。
【００４９】
＜接触方法＞
この収縮工程におけるソフトコンタクトレンズとコンタクトレンズ用液との接触の方法としては、ソフトコンタクトレンズが収縮することができれば特に限定されず、例えば、コンタクトレンズ用液にソフトコンタクトレンズを浸漬させる方法、ソフトコンタクトレンズにコンタクトレンズ用液を滴下、塗布、噴霧等する方法等を挙げることができる。
【００５０】
このような接触方法の中でも、コンタクトレンズ用液にソフトコンタクトレンズを浸漬させる方法が好ましい。浸漬させる方法によればソフトコンタクトレンズを均一に収縮させることができ、さらにはソフトコンタクトレンズを日常使用する際の洗浄、保存、煮沸消毒等の作業と兼用して行うことができるため、使用者にとって何ら新たな負荷をかけるものではなく、効率的である。
【００５１】
また、浸漬させる方法によれば、流通過程におけるソフトコンタクトの流通保存液においてコンタクトレンズ用液を用いることができる。さらにはソフトコンタクトレンズの流通の際のパッケージの小型化を実現することもできる。
【００５２】
上記収縮工程におけるソフトコンタクトレンズの直径の収縮量としては、０．２ｍｍ以上が好ましく、０．３ｍｍ以上がさらに好ましい。当該装着方法によれば、ソフトコンタクトレンズの直径を０．２ｍｍ以上収縮させることで、物理的な装着の容易性を高めると共に、使用者がレンズサイズの変化を実感できるため、意識的にもコンタクトレンズ装着の抵抗感を低減させることができる。この収縮量の上限としては特に限定されないが、実用性の点から例えば１．５ｍｍである。
【００５３】
この収縮工程におけるソフトコンタクトレンズとコンタクトレンズ用液との接触の時間としては、ソフトコンタクトレンズが十分に収縮すれば特に限定されず、例えばコンタクトレンズ用液が包装溶液の場合は、製造後、使用者が開封するまでであり、また、コンタクトレンズ用液が装着液の場合は、使用者がコンタクトレンズに液を滴下してから装着するまでの時間である。
【００５４】
＜装着工程＞
この装着工程においては、収縮した上記ソフトコンタクトレンズを通常の方法と同様に眼に装着する。当該ソフトコンタクトレンズ装着方法によれば、収縮工程を経ることによりソフトコンタクトレンズが収縮しているため、器具等を用いることなくソフトコンタクトレンズを容易に装着することができる。なお、ソフトコンタクトレンズの装着後は、浸透圧が生理食塩水とほぼ同等である涙液の浸透などによってソフトコンタクトレンズが収縮前のサイズに容易に戻るため、レンズの機能を損なうことなく、コンタクトレンズを装用することができる。
【００５５】
上記装着工程後におけるソフトコンタクトレンズの直径の回復量が０．２ｍｍ以上であるとよい。当該装着方法によれば、装着後にレンズの直径が０．２ｍｍ以上回復（拡大）することで、収縮した状態でソフトコンタクトレンズを装着しても、通常のソフトコンタクトレンズと同様な機能を発揮させることができる。
【００５６】
また、上記装着工程後におけるソフトコンタクトレンズの直径の回復率が８０％以上であるとよい。当該装着方法によれば、装着後にレンズの直径が８０％以上回復することで、収縮した状態でソフトコンタクトレンズを装着しても、装着後、通常のソフトコンタクトレンズと同様な機能を発揮させることができる。ここで、上記回復率（％）は、下記式（２）にて算出される値である。
回復率（％）
＝｛回復量（ｍｍ）／収縮量（ｍｍ）｝×１００・・・（２）
【００５７】
この装着工程後にソフトコンタクトレンズの直径が０．２ｍｍ以上回復するのに要する時間としては、例えば１０分以内であり、６分以内であることが好ましい。
【００５８】
＜コンタクトレンズ用液＞
本発明のコンタクトレンズ用液は、
ソフトコンタクトレンズとの接触により、このソフトコンタクトレンズの直径を生理食塩水中での平衡状態と比較して０．２ｍｍ以上収縮させることができ、かつオスモル濃度が３７０ｍＯｓｍ／Ｌ以上であるコンタクトレンズ用液である。当該コンタクトレンズ用液は上記装着方法におけるコンタクトレンズ用液の一例として説明したものと同様であるため、詳細な説明を省略する。
【００５９】
当該コンタクトレンズ用液によれば、浸透圧差を利用してソフトコンタクトレンズを効率的に収縮させることができるため、使用者はソフトコンタクトレンズを容易に装着することができる。
【００６０】
当該コンタクトレンズ用液が、上記収縮を可逆的に行うことができることが好ましい。当該コンタクトレンズ用液がこのようにソフトコンタクトレンズの収縮を可逆的に行うことができる、つまりソフトコンタクトレンズを収縮させた後、生理食塩水とこのソフトコンタクトレンズとを接触させると、レンズのサイズが回復するようなコンタクトレンズ用液であれば、コンタクトレンズを装着後、涙液等によって容易にコンタクトレンズのサイズが回復し、通常のソフトコンタクトレンズと同様な機能を発揮させることができる。
【００６１】
なお、当該コンタクトレンズ用液との接触により一度ソフトコンタクトレンズを収縮させた後、生理食塩水とこのソフトコンタクトレンズとを接触させることによるレンズサイズの回復の度合いとしては、当該コンタクトレンズ溶液中のレンズサイズより０．２ｍｍ以上回復（拡大）することが好ましく、よりこのましくは収縮前の生理食塩水中での平衡状態と比較して直径が±０．２ｍｍ以内、さらに好ましくは±０．１ｍｍ以内にまで回復しているとよい。
【００６２】
なお、当該コンタクトレンズ用液は、装着を容易にする用途のみに用いることもできるが、従来の保存液、流通保存液、装着液、マルチパーパスソリューション等として用いることもできる。ここで、マルチパーパスソリューションとは、コンタクトレンズの洗浄、すすぎ、消毒、保存のうち少なくとも２つ以上を１液で行なうことができる液剤を意味する。
【００６３】
当該コンタクトレンズ用液を保存液又はマルチパーパスソリューションとして用いることで、従来のソフトコンタクトレンズの取扱いと何ら変わることなく、装着性を向上させることができる。また、当該コンタクトレンズ用液を流通保存液として使い捨てコンタクトレンズ等に対して用いることによって、パッケージの小型化又は統一化が可能となり、流通コストの削減も行うことができる。
【００６４】
＜ソフトコンタクトレンズパッケージ＞
本発明のソフトコンタクトレンズパッケージは、
ソフトコンタクトレンズ収容容器、このソフトコンタクトレンズ収容容器に貯留される上記コンタクトレンズ用液、及びこのコンタクトレンズ用液に浸漬されるソフトコンタクトレンズを含む。
【００６５】
上記コンタクトレンズ用液については、本発明のコンタクトレンズ用液として上述したものと同様であるので詳細な説明を省略する。また、上記ソフトコンタクトレンズ収容容器としては、日常の使用の際の保存容器や使い捨てコンタクトレンズのパッケージ等、公知のものを用いることができる。
【００６６】
上記ソフトコンタクトレンズとしては、コンタクトレンズ用液の機能を効率的に発揮させるために、含水性ソフトコンタクトレンズであることが好ましい。この含水性ソフトコンタクトレンズの含水率としては、具体的には３０質量％以上が好ましく、４０質量％以上８０質量％以下がさらに好ましい。
【００６７】
当該ソフトコンタクトレンズパッケージによれば、ソフトコンタクトレンズを収縮した状態で保存することができるため、使用する際の装着容易性が高まる。また、当該ソフトコンタクトレンズパッケージによれば、流通段階で使用することで容器のサイズを小型化できる。さらにはレンズサイズによらず共通サイズの容器を使用することができるため、生産コストの削減に繋がる。
【実施例】
【００６８】
以下、合成例及び実施例によって本発明をさらに詳細に説明するが、本発明はこれらの実施例に限定されるものではない。【００６９】
なお、本実施例において用いた各ソフトコンタクトレンズの詳細は以下の通りである。
・ワンデーアキュビュー乱視用（ジョンソンエンドジョンソン株式会社）
ｐｏｗｅｒ／ＤＩＡ／Ｂ．Ｃ．  −２．７５／１４．５／８．５
含水率５８％  イオン性ハイドロゲル
・メニコン２ウィークデュオ（株式会社メニコン）
ｐｏｗｅｒ／ＤＩＡ／Ｂ．Ｃ．  −３．００／１４．５／８．６
含水率７２％  非イオン性ハイドロゲル
・メニコン２ウィークプレミオ  トーリック（株式会社メニコン）
ｐｏｗｅｒ／ＤＩＡ／Ｂ．Ｃ．  −３．００／１４．０／８．６
含水率４０％  非イオン性シリコーンハイドロゲル
・アキュビューアドバンス（ジョンソンエンドジョンソン株式会社）
ｐｏｗｅｒ／ＤＩＡ／Ｂ．Ｃ．  −３．００／１４．０／８．７
含水率４７％  非イオン性シリコーンハイドロゲル【００７０】
［実施例１〜５］
０．９質量％塩化ナトリウム水溶液（生理食塩液）に上記ワンデーアキュビュー乱視用コンタクトレンズを浸漬し、室温で一晩以上放置した。２０℃に保たれた生理食塩液中でレンズ直径を測定し、収縮前の生理食塩液中でのレンズサイズを求めた（投影機、ニコン社製Ｖ−１２Ｂ：倍率１０倍）。なお、この直径の測定方法は「ＩＳＯ１８３６９−３（２００６）：Ｏｐｈｔｈａｌｍｉｃ  ｏｐｔｉｃｓ−Ｃｏｎｔａｃｔ  ｌｅｎｓｅｓ  Ｐａｒｔ３：Ｍｅａｓｕｒｅｍｅｎｔ  ｍｅｔｈｏｄｓ，４Ｍｅｔｈｏｄｓ  ｏｆ  ｍｅａｓｕｒｅｍｅｎｔ  ｆｏｒ  ｃｏｎｔａｃｔ  ｌｅｎｓ，４．３Ｄｉａｍｅｔｅｒｓ  ａｎｄ  ｗｉｄｔｈｓ」に記載に基づく、一般的な方法である。
コンタクトレンズ用液として、表１の各濃度の塩化ナトリウム水溶液を調製した。この各コンタクトレンズ用液に、生理食塩液中でのレンズサイズを測定済みの上記レンズを浸漬し、室温で一晩以上静置した。【００７１】
２０℃に保たれたそれぞれのコンタクトレンズ用液中で収縮後のレンズ直径を測定した（投影機、ニコン社製Ｖ−１２Ｂ：倍率１０倍）。その後、２０℃の０．９質量％塩化ナトリウム水溶液（生理食塩液）に各レンズを５分間浸漬後、回復後のレンズ直径を測定した。収縮前の生理食塩液中でのレンズ直径から収縮後の各コンタクトレンズ用液中でのレンズ直径を差し引き、その差を収縮量（単位：ｍｍ）として求めた。また、生理食塩液中での回復後のレンズ直径から、収縮後の各コンタクトレンズ用液中での直径を差し引き、その差を回復量（単位：ｍｍ）として求めた。また、収縮量と回復量とから、回復率（単位：％）を求めた。【００７２】
【表１】
2012066655.tif 000002
【００７３】
［実施例６〜１０］
コンタクトレンズ用液として、表２の成分濃度のリン酸又はホウ酸緩衝液（緩衝剤水溶液）を調製して用いたこと以外は実施例１〜５と同様にして、実施例６〜１０を行った。なお、表中の各成分濃度における「−」は配合していないことを表す（以下、同様）。【００７４】
【表２】
2012066655.tif 000003
【００７５】
［実施例１１〜１３、比較例１］
コンタクトレンズ用液として、表３の成分濃度の緩衝液を調製して用いたこと以外は実施例１〜５と同様にして、実施例１１〜１３及び比較例１を行った。【００７６】
【表３】
2012066655.tif 000004
Ｔｒｉｓ：トリスヒドロキシメチルアミノメタン
Ｂｉｓ−Ｔｒｉｓ：ビス（２−ヒドロキシエチル）イミノトリス（ヒドロキシメチル）メタン【００７７】
［実施例１４］
実施例８で用いたコンタクトレンズ用液を用い、ソフトコンタクトレンズとして、メニコン社製の２ウィークデュオを用いたこと以外は実施例１〜５と同様にして実施例１４を行った。収縮量は０．６０ｍｍ、回復量は０．５３ｍｍ、回復率は８８％であった。【００７８】
［実施例１５〜１７］
メニコン２ウィークプレミオ  トーリック、メニコン２ウィークデュオ及びアキュビューアドバンスをそれぞれコンタクトレンズ用液としての４０℃の生理食塩液に浸漬し、一晩浸漬した。４０℃に保ったまま、生理食塩液中で直径を測定した。その後、２０℃の生理食塩水に上記測定後の各レンズを浸漬し、５分後の直径を測定した。当初の直径から４０℃の生理食塩水中の直径を差し引き、その差を収縮量（単位：ｍｍ）として求めた。また、２０℃の生理食塩水中の直径から４０℃の生理食塩水中の直径を差し引き、その差を収縮量（単位：ｍｍ）として求めた。その結果を表４に示す。【００７９】
【表４】
2012066655.tif 000005
【００８０】
［参考例］
ソフトコンタクトレンズを使用したことがある者１０名に、市販のレンズを装着する直前の状態（指先の上にレンズを乗せた状態）で、各レンズ直径の違いがわかるかを問診した。その結果を表５に示す。【００８１】
【表５】
2012066655.tif 000006
【００８２】
表５に示される通り、０．２ｍｍの差でも約半数の人がレンズ直径の違いを認識でき、０．３ｍｍの差では７０％以上、０．５ｍｍ以上の差では１００％で違いを認識できた。【００８３】
また、ソフトコンタクトレンズを使用したことがある者１０名に、実際にレンズ直径が１３．５ｍｍ、１３．８ｍｍ、１４．０ｍｍ、１４．２ｍｍ及び１４．５ｍｍの各市販のレンズを装着してもらい、装着のしやすさを評価した。その結果を表６に示す。【００８４】
【表６】
2012066655.tif 000007
【００８５】
表６に示されるとおり、レンズ直径が大きくなるにつれ、装着が困難になり、レンズ直径が少なくとも０．２ｍｍ大きくなると装着が困難になることがわかった。すなわち、逆に、レンズ直径が０．２ｍｍ小さくなると装着が容易になることがわかる。【００８６】
また、生理食塩水（塩化ナトリウム水溶液）や緩衝液の濃度や温度を調整することで、ソフトコンタクトレンズを収縮させることができるコンタクトレンズ用液として利用できることがわかった。
【産業上の利用可能性】
【００８７】
本発明のソフトコンタクトレンズの装着方法は、ソフトコンタクトレンズの装着を容易にすることができるため、眼科をはじめとする医療業界、カラーコンタクトレンズ等を多用するファッション業界等において好適に用いることができる。また、本発明のコンタクトレンズ用液及びソフトコンタクトレンズパッケージは、ソフトコンタクトレンズを収縮させることができるため、ソフトコンタクトレンズの生産、流通、販売の効率化に資する。
【手続補正書】
【提出日】平成24年2月23日(2012.2.23)
【手続補正１】
【補正対象書類名】特許請求の範囲
【補正対象項目名】全文
【補正方法】変更
【補正の内容】
【特許請求の範囲】
【請求項１】
ソフトコンタクトレンズを生理食塩水中での平衡状態より収縮させることができるコンタクトレンズ用液を用い、このコンタクトレンズ用液とソフトコンタクトレンズとを接触させ、このソフトコンタクトレンズを収縮させる収縮工程、及び
収縮した上記ソフトコンタクトレンズを眼に装着する装着工程
を有し、
上記装着工程後、上記ソフトコンタクトレンズのサイズが回復し、
上記装着工程の１０分後におけるソフトコンタクトレンズの直径の回復率が８０％以上であるソフトコンタクトレンズ装着方法。
【請求項２】
上記収縮工程におけるソフトコンタクトレンズの直径の収縮量が０．２ｍｍ以上である請求項１に記載のソフトコンタクトレンズ装着方法。
【請求項３】
上記装着工程の１０分後におけるソフトコンタクトレンズの直径の回復量が０．２ｍｍ以上である請求項１又は請求項２に記載のソフトコンタクトレンズ装着方法。
【請求項４】
上記コンタクトレンズ用液のオスモル濃度が３７０ｍＯｓｍ／Ｌ以上である請求項１、請求項２又は請求項３に記載のソフトコンタクトレンズ装着方法。
【請求項５】
上記コンタクトレンズ用液がリン酸及びリン酸塩を含む請求項１から請求項４のいずれか１項に記載のコンタクトレンズ装着方法。
【請求項６】
上記収縮工程においてコンタクトレンズ用液の温度を３５℃以上５０℃以下とする請求項１から請求項５のいずれか１項に記載のソフトコンタクトレンズ装着方法。
【請求項７】
ソフトコンタクトレンズとの接触により、このソフトコンタクトレンズの直径を生理食塩水中での平衡状態と比較して０．２ｍｍ以上収縮させることができ、かつ
オスモル濃度が３７０ｍＯｓｍ／Ｌ以上であり、
上記収縮を可逆的に行うことができ、
上記収縮したソフトコンタクトレンズを生理食塩水中に１０分間浸漬させることによるこのソフトコンタクトレンズの直径の回復率が８０％以上であるコンタクトレンズ用液。
【請求項８】
ソフトコンタクトレンズ収容容器、
このソフトコンタクトレンズ収容容器に貯留される請求項７に記載のコンタクトレンズ用液、及び
このコンタクトレンズ用液に浸漬されるソフトコンタクトレンズ
を含むソフトコンタクトレンズパッケージ。
【手続補正２】
【補正対象書類名】明細書
【補正対象項目名】０００７
【補正方法】変更
【補正の内容】
【０００７】
上記課題を解決するためになされた本発明のソフトコンタクトレンズ装着方法は、
ソフトコンタクトレンズを生理食塩水中での平衡状態より収縮させることができるコンタクトレンズ用液を用い、このコンタクトレンズ用液とソフトコンタクトレンズとを接触させ、このソフトコンタクトレンズを収縮させる収縮工程、及び
収縮した上記ソフトコンタクトレンズを眼に装着する装着工程
を有し、
上記装着工程後、上記ソフトコンタクトレンズのサイズが回復し、
上記装着工程の１０分後におけるソフトコンタクトレンズの直径の回復率が８０％以上であるソフトコンタクトレンズ装着方法である。
【手続補正３】
【補正対象書類名】明細書
【補正対象項目名】００１１
【補正方法】変更
【補正の内容】
【００１１】
上記装着工程の１０分後におけるソフトコンタクトレンズの直径の回復率は８０％以上である。当該装着方法によれば、装着後にレンズの直径が８０％以上回復することで、収縮した状態でソフトコンタクトレンズを装着しても、装着後、通常のソフトコンタクトレンズと同様な機能を発揮させることができる。
【手続補正４】
【補正対象書類名】明細書
【補正対象項目名】００１２
【補正方法】変更
【補正の内容】
【００１２】
上記装着工程の１０分後におけるソフトコンタクトレンズの直径の回復量が０．２ｍｍ以上であるとよい。当該装着方法によれば、装着後にレンズの直径が０．２ｍｍ以上回復（拡大）することで、収縮した状態でソフトコンタクトレンズを装着しても、装着後、通常のソフトコンタクトレンズと同様な機能を発揮させることができる。
【手続補正５】
【補正対象書類名】明細書
【補正対象項目名】００１６
【補正方法】変更
【補正の内容】
【００１６】
本発明のコンタクトレンズ用液は、
ソフトコンタクトレンズとの接触により、このソフトコンタクトレンズの直径を生理食塩水中での平衡状態と比較して０．２ｍｍ以上収縮させることができ、かつ
オスモル濃度が３７０ｍＯｓｍ／Ｌ以上であり、
上記収縮を可逆的に行うことができ、
上記収縮したソフトコンタクトレンズを生理食塩水中に１０分間浸漬させることによるこのソフトコンタクトレンズの直径の回復率が８０％以上であるコンタクトレンズ用液である。
【手続補正６】
【補正対象書類名】明細書
【補正対象項目名】００１８
【補正方法】変更
【補正の内容】
【００１８】
当該コンタクトレンズ用液は、上記収縮を可逆的に行うことができる。当該コンタクトレンズ用液がこのようにソフトコンタクトレンズの収縮を可逆的に行うことができる、つまりソフトコンタクトレンズを収縮させた後、生理食塩水とこのソフトコンタクトレンズとを接触させると、レンズのサイズが回復するようなコンタクトレンズ用液であれば、コンタクトレンズを装着後、涙液によって容易にコンタクトレンズのサイズが回復し、通常のソフトコンタクトレンズと同様な機能を発揮させることができる。
【国際調査報告】
2012066655.tif 000008
2012066655.tif 000009
2012066655.tif 000010
2012066655.tif 000011